(57)【特許請求の範囲】
【請求項１】
糸状連結部の一端側に係合雄部と、他端側に係合雌部を接続して    形成し、前記係合雄部と前記係合雌部との係合によってループを形成する表示札等の    取付具において、前記糸状連結部を、軟磁性体ファイバーを有する糸状体で形成する と共に、前記係合雄部は頭部を有して形成し、前記係合雌部は貫通孔を有して形成し たことを特徴とするマーカー用磁性体を有する表示札等取付具。
【請求項２】
前記係合雄部が断面を縮小した第１切断部を介して第１連結部材    で連結されると共に、前記係合雌部が断面を縮小した第２切断部を介して第２連結部    材で連結され、平板格子状の連続体に形成されたことを特徴とする請求項１記載のマ    ーカー用磁性体を有する表示札等取付具。
【請求項３】
前記第１連結部材と前記第２連結部材が、前記糸状連結部の延長 方向に設けられたことを特徴とする請求項２に記載のマーカー用磁性体を有する表示    札等取付具。
【請求項４】
前記第１連結部材と前記第２連結部材が、前記糸状連結部の延長 方向と交差する方向に設けられたことを特徴とする請求項２に記載のマーカー用磁性    体を有する表示札等取付具。
【請求項５】
前記平板格子面に交差するように、前記係合雄部の係合方向の軸 線と前記係合雌部の係合方向の軸線が形成されたことを特徴とする請求項２〜４のい ずれか１項に記載のマーカー用磁性体を有する表示札等取付具。
【請求項６】
糸状連結部と、該糸状連結部の一端側に該糸状連結部と交差して 接合する横棒部と、該糸状連結部の他端側に接合すると共に該糸状連結部の横断面よ り大きく形成され、抜け止め機能を有して形成される頭部とからなり、前記糸状連結 部を、軟磁性体ファイバーを有する糸状体で形成したマーカー用磁性体を有する表示    札等取付具。
【請求項７】
前記軟磁性体ファイバーを有する糸状体は、芯材を、軟磁性体フ ァイバー、又は、軟磁性体ファイバーと芯糸から形成し、該芯材をカバー材で被覆し て形成したことを特徴とする請求項１〜６のいずれか１項に記載のマーカー用磁性体    を有する表示札等取付具。
【請求項８】
前記軟磁性体ファイバーを有する糸状体は、芯材を、軟磁性体フ ァイバー、又は、軟磁性体ファイバーと芯糸から形成し、該芯材を半硬質磁性材料と 共にカバー材で被覆して形成したことを特徴とする請求項１〜６のいずれか１項に記 載のマーカー用磁性体を有する表示札等取付具。
【請求項９】
前記軟磁性体ファイバーを有する糸状体は、芯材を、軟磁性体フ ァイバー、又は、軟磁性体ファイバーと芯糸から形成し、該芯材を熱溶着糸と共にカ バー材で被覆して形成したことを特徴とする請求項１〜６のいずれか１項に記載のマ    ーカー用磁性体を有する表示札等取付具。
【発明の詳細な説明】
【０００１】
【発明の属する技術分野】
本発明は、店頭の商品や公共施設の備品等が無断で持ち去られるのを防止するためのマーカー用磁性体を有する表示札等取付具に関するものである。
【０００２】
【従来の技術】
従来から、軟磁性体の交番磁界に対する磁気反応特性を利用して、商品等に貼着するバーコードや価格・品質表示用のタグに、帯板片等のマーカー用磁性体を具備させると共に、交番磁界を発生する感知ゲートを出口に配置して、店頭の商品や公共施設の備品等が無断で持ち去られるのを防止する遠隔感知の盗難防止システムが利用されてきている。
【０００３】
この磁気を利用した感知システムでは、アモルファス金属材料等の高い透磁率を持ち、且つ、磁化や消磁が容易にできる軟磁性材料のマーカー用磁性体を使用し、感知ゲート側の磁界印加コイルで交番磁界を発生させ、この交番磁界内に入ったマーカー用磁性体の磁化を反転させる際に発生するバルクハウゼン効果により、感知ゲート側の検出コイル（ピックアップコイル）に電圧パルスを発生させ、この電圧パルスを検知することにより、このマーカー用磁性体の有無を非接触かつ、遠隔で検出している。
【０００４】
また、この感知システムにおいては、このマーカー用磁性体を取り付けた店でレジ等の正規のルートを通過しても、このマーカー用磁性体が感知可能のまま、他店の同様な感知システムを通過すると警報が作動してしまうので、これを防止するために、このマーカー用磁性体を感知システムで感知できなくする失活化（非能動化）を行うために、この軟磁性材料のマーカー用磁性体に、半硬質磁性材料を添わせることが行われている。
【０００５】
この半硬質磁性材料は、永久磁石材料ほどは保磁力が大きくないが適当な大きさの角型のヒステリシスループを持つ磁性材料であり、この半硬質磁性材料が磁化していない場合には、軟磁性材料のマーカー用磁性体は交番磁界により、バルクハウゼン効果を発揮し、感知システムに感知されるが、この半硬質磁性材料に強い磁界を加えて磁化した場合には、この半硬質磁性材料の磁力が感知システムの交番磁界を妨害して感知できなくなるので、レジ等の正規のルートを通過する際に、この半硬質磁性材料を磁化させて、マーカー用磁性体を失活化させることができる。
【０００６】
また、このマーカー用磁性体は、遠隔で検知可能となるためには、ある程度の大きさや長さが必要であるため、ストリップ、ワイヤ、箔、薄膜、帯板片等の様々な形状に形成され、紙やフィルム等に貼付されて盗難防止ラベル等として使用されている。
【０００７】
そして、この盗難防止ラベルを商品等に貼り付けておいて、店頭の出口等に設けた感知ゲートにより、商品の無断持ち出しを監視している。
【０００８】
【発明が解決しようとする課題】
しかしながら、このマーカー用磁性体をバーコードやタグ等の裏面側に配置した場合には、このマーカー用磁性体が簡単に剥がれてしまい、その機能を果たさなくなるという問題がある。また、このマーカー用磁性体は、他の機能を有していないため隠匿性が薄いので発見され易く、このマーカー用磁性体が添付してあることが分かると、カットされたり、剥がされたりしてしまうので、盗難防止機能を有効に果たすことが出来なくなるという問題がある。
【０００９】
特に、店頭の商品の盗難を防止するためには、マーカー用磁性体の存在がどこに配置されているか分からないようにすることが重要であり、一見してその存在を認知されないようなマーカー用磁性体を有する器材の開発が望まれていた。
【００１０】
本発明者らは、この用途に使用できる軟磁性体ファイバーを備えたセキュリティ糸とその製法を、特願平１１−１９５９１９号において提案している。
【００１１】
一方、店頭に陳列する衣料品等に対して、値段や品質等を表示するための表示札を取り付けるために、合成樹脂の延伸フィラメント等で形成された糸状連結部の一端に係合雄部を、他端に係合雌部を設けた環状連結具を使用して、この係合雄部を、表示札等の貫通孔と衣類等の生地等に形成されたボタン孔等の取付孔を通した後に、係合雌部と係合して、糸状連結部のループを形成して表示札を商品等に取り付ける方法が取られている。
【００１２】
また、合成樹脂を延伸したフィラメント等で形成された糸状連結部の端部に、合成樹脂製の係合雄部と係合雌部とを有し、これらの係合により表示札等を保持する保持部と、安全ピンやループ形成体等の衣料品等の商品に装着できる装着部とをそれぞれ設けた表示札等の吊下具を用いて、表示札を保持部で保持すると共に、装着部で衣類等に装着して、表示札を吊下げる方法も採用されている。
【００１３】
これらの表示札等取付具の糸状連結部は、表示札が衣類などの商品に一旦取り付けられた後は、持ち運び時や梱包及び移送時において容易に外れないように、また、手操作では簡単に破断できないように形成されている。
【００１４】
本発明は前記したような問題点を解決するためになされたものであって、その目的は、係合雄部と係合雌部を連結する糸状連結部や、保持部と装着部と連結する糸状連結部に、マーカー用磁性体を隠して配置することにより、マーカー用磁性体の所在を隠匿し、除去されるのを防止できるマーカー用磁性体を有する表示札等取付具を提供することにある。
【００１５】
【課題を解決するための手段】
本発明のマーカー用磁性体を有する表示札等取付具は、次のように構成される。
【００１６】
糸状連結部の一端側に係合雄部と、他端側に係合雌部を接続して形成し、前記係合    雄部と前記係合雌部との係合によってループを形成する表示札等の取付具において、    前記糸状連結部を、軟磁性体ファイバーを有する糸状体で形成すると共に、前記係合 雄部は頭部を有して形成し、前記係合雌部は貫通孔を有して形成して構成される。
【００１７】
または、糸状連結部と、該糸状連結部の一端側に該糸状連結部と交差して接合する横棒部と、該糸状連結部の他端側に接合すると共に該糸状連結部の横断面より大きく形成され、抜け止め機能を有して形成される頭部とからなる表示札等の吊下げ用の取付具において、前記糸状連結部を、軟磁性体ファイバーを有する糸状体で形成して構成される。
【００１９】
そして、これらのマーカー用磁性体を有する表示札等取付具において、この糸状体としては、上記の糸状体、即ち、軟磁性体ファイバー、又は、軟磁性体ファイバーと芯糸から形成し、この芯材をカバー材で被覆して形成したものや、芯材を半硬質磁性材料や熱溶着糸と共にカバー材で被覆して形成したものを使用することができる。
【００２０】
以上の構成により、ループを形成したりする糸状連結部に、芯材としてマーカー用磁性体となる軟磁性体ファイバーを配置し、この芯材をカバー材で被覆したので、一見しただけでは、糸状連結部にマーカー用磁性体があることは消費者には分からず、有効なマーカーとして使用できる。また、マーカー用磁性体を糸状連結部に配置しているので、感知システムで感知するのに必要な磁力を発生させるための長さを十分に確保できる。
【００２１】
従って、このマーカー用磁性体を有する表示札等取付具を使用することにより、通常のタグ付け等の用途の他に、盗難防止等のセキュリティ機能も果たすことができる。
【００２２】
そして、上記のマーカー用磁性体を有する表示札等取付具において、前記軟磁性体ファイバーを有する糸状体は、芯材を、軟磁性体ファイバー、又は、軟磁性体ファイバーと芯糸から形成し、該芯材をカバー材で被覆して形成する。
【００２３】
この構成によれば、マーカー用磁性体である軟磁性体ファイバーをカバー材で被覆しているので、このマーカー用磁性体の存在を隠匿でき、更に、軟磁性体ファィバーの露出による指先や商品の損傷を防止できる。
【００２４】
また、カバー材の種類や色をこの表示札等取付具を取り付ける商品のサイズや種類や材質等の識別に利用することができる。
【００２５】
または、上記のマーカー用磁性体を有する表示札等取付具において、前記軟磁性体ファイバーを有する糸状体は、芯材を、軟磁性体ファイバー、又は、軟磁性体ファイバーと芯糸から形成し、該芯材を半硬質磁性材料と共にカバー材で被覆して形成する。
【００２６】
この構成によれば、半硬質磁性材料を、マーカー用磁性体である軟磁性体ファイバーに添えて形成しているので、マーカー用磁性体の失活化を行うことが簡単にできる。
【００２７】
あるいは、上記のマーカー用磁性体を有する表示札等取付具において、前記軟磁性体ファイバーを有する糸状体は、芯材を、軟磁性体ファイバー、又は、軟磁性体ファイバーと芯糸から形成し、該芯材を熱溶着糸と共にカバー材で被覆して形成する。
【００２８】
この構成によれば、熱溶着糸を添えて形成しているので、この熱溶着糸の溶着により芯材とカバー材とを一体化できる。そのため、軟磁性体ファィバーの抜け落ちを防止でき、また、軟磁性体ファィバーの露出を回避して指先や商品の損傷を防止できる。
【００２９】
特に、係合雄部と係合雌部を糸状連結部で連結したマーカー用磁性体を有する表示札等取付具によれば、値札等の表示札の穴と、商品等のボタン穴や把手の内側の部分に糸状連結部の一端側を挿入して、係合雄部を係合雌部に挿入して押し込むことにより、ワンタッチ操作で簡単に糸状連結部によるループを形成して、表示札を商品に取り付けることができる。
【００３０】
そして、このマーカー用磁性体を有する表示札等取付具は、例えば特願平９−２０９２５５号に記載されたようなガンタイプの取付装置を使用する際や、移動及び保管の際に、もつれずに配列を保つことができるように、連続体として成形される。この連続体は、取付装置への装填が容易でしかも簡単に個々に分解することができるようにするものであり、次のように構成される。
【００３１】
第１は、前記係合雄部が断面を縮小した第１切断部を介して第１連結部材で連結されると共に、前記係合雌部が断面を縮小した第２切断部を介して第２連結部材で連結され、平板格子状の連続体に形成される。
【００３４】
また、前記係合雌部同士がフィラメント状の小断面で形成された第２仮連結部で連結されると共に、前記係合雄部が断面を縮小した第１切断部を介して第１連結部材で連結され、平板格子状の連続体に形成されるように構成してもよい。
【００３５】
そして、使用及び保管方法や取付装置の機構に沿って、前記第１連結部材と前記第２連結部材は、それぞれ、前記糸状連結部の延長方向、即ち、平板格子面又は、この平板格子面と平行な面内に設けられる。あるいは、前記第１連結部材と前記第２連結部材は、前記糸状連結部の延長方向と交差する方向、好ましくは直交する方向に設けられる。つまり、平板格子面と交差するそれぞれの面内に第１連結部材と第２連結部材が配置される。この第１連結部材が配置される面と第２連結部材が配置される面とは平行であってもよく、平行でなくてもよいが、平板格子面と直交させると構成が単純化するので好ましい。
【００３６】
そして、この連結部材に適当な剛性を持たせることにより、係合雄部同士、係合雌部同士がもつれ合ったり、表示札等取付具の配列がずれることを防止できる。また、ガンタイプの取付装置等に装填する場合には、この両端あるいは片側の連結部材の剛性を利用して、多数の表示札等取付具を整列させた状態のままで簡単に装填することができる。
【００３７】
なお、ガンタイプの取付装置の内部で表示札等取付具を１個を連続体から切り離す場合には、断面を縮小した切断部の部分を取付装置側に備えた刃物で切断することにより、簡単に１個を切り離すことができる。
【００３８】
更に、前記平板格子面に交差するように、好ましくは直交するように、前記係合雄部の係合方向の軸線と前記係合雌部の係合方向の軸線がそれぞれ形成される。
【００３９】
この構成にすると、ガンタイプの取付装置への装填は、シート状の連続体として並んだ表示札等取付具の糸状連結部を、Ｕ字形状にして取付装置の外部に配置したまま、係合雄部と係合雌部を装填でき、また、先端側に送る時も、糸状連結部をＵ字形状にしたまま送ることができるので、もつれることがない。
【００４０】
また、この構成では、係合雄部の後端に第１切断部や第１仮連結部が配置されない構成にすることができるので、取付装置における係合雄部を送り出す機構として、突き出しロッドで後端を押圧して中空針から送り出す機構を採用することができるようになる。
【００４１】
なお、手動でループを形成して表示札等を取り付ける際は、鋏やカッターや爪等で第１及び第２切断部や第１及第２仮連結部の部分を切断することにより、簡単に解体できる。
【００４２】
そして、係合雄部と係合雌部を糸状連結部で連結したマーカー用磁性体を有する表示札等取付具において、前記係合雄部と前記糸状連結部との接合部分、又は、前記係合雌部と前記糸状連結部との接合部分に、前記係合雄部と前記係合雌部の係合強度よりも弱くなるように形成された破断部を設けて構成する。
【００４３】
この破断部を断面を小さくしたり、ノッチや孔を形成したりして設けることにより、係合雄部を係合雌部に係合して糸状連結部によるループを形成して商品に取り付けた表示札を、取り外すことが簡単にできるようになる。つまり、この破断部の両側部分を指先で摘んで、曲げたり、捩じったりするだけで、鋏やカッター等を使用せずに破断部を切り離すことができる。そのため、非常に簡単に係合雄部又は係合雌部を糸状連結部から分離して、商品から商品札やこのマーカー用磁性体を有する表示札等取付具を外すことができる。
【００４４】
【発明の実施の形態】
以下図面に基づき本発明によるマーカー用磁性体を有する表示札等取付具の実施の形態について説明する。
【００４５】
〔第１の実施の形態〕
本発明の第１の実施の形態であるマーカー用磁性体を有する表示札等取付具１は、図１に示すように、糸状連結部４の一端側に係合雄部２を、他端側にこの係合雄部２に係合する係合雌部３を設けると共に、この糸状連結部４を、図２に示すような軟磁性体ファイバー４１を有する糸状体４０で形成して構成する。
【００４６】
この係合雄部２と係合雌部３は合成樹脂等で形成し、図３に示すように係合して、ループＲを形成し、表示札５を衣類等の商品６に取り付けることができるように構成する。
【００４７】
この係合雄部２と係合雌部３は、表示札５が衣類などの商品６に一旦取り付けられた後は、持ち運び時や梱包及び移送時において容易に外れないように、また、手操作では簡単に破断できないような引張強さ（係合強度）を持って形成され、また、切断や破壊した場合にはその痕跡が残るように形成される。
【００４８】
〔糸状体〕
次に、糸状連結部４を形成する糸状体４０について説明する。
【００４９】
この糸状体４０は、図２に示すように、軟磁性体ファイバー４１や芯糸４２からなる芯材４０ａをカバー材４４で被覆して形成し、このカバー材４４でマーカー用磁性体である軟磁性体ファイバー４１の存在を隠匿し、また、軟磁性体ファィバー４１が露出して指先や商品を損傷するのを防止する。
【００５０】
また、このマーカー用磁性体を有する表示札等取付具１を、失活化できるようにするために、半硬質磁性材料４３を、図２（ｃ）に示すように、芯材４０ａと共にカバー材４４で被覆する。この構成により、レジ等の正規のルートを通る際に、この半硬質磁性材料４３を、永久磁石等の磁界を通過させて磁化させて、軟磁性体ファイバー４１を失活化し、感知システムでは感知できなくなるようにすることができるようになる。
【００５１】
更に、熱溶着糸４５を介在させ、カバー材４４で被覆処理した後に乾熱処理することにより、この熱溶着糸４５の溶着により芯材４０ａとカバー材４４とを一体化し、軟磁性体ファィバー４１の抜け落ち防止と露出防止を図ることができる。
【００５２】
〔軟磁性体ファイバー〕
軟磁性体ファイバー４１は、結晶・非結晶等の結晶構造や合金組成を特に限定する必要は無く、磁化や消磁を容易にできるという軟磁性の特性を示す磁性材料で形成する。
【００５３】
ただし、磁界の強さが０．４Ａ／ｍ（５ｍＯｅ：ミリエルステッド），交番磁界の周波数が１ｋＨｚの励振磁界において、透磁率が１，０００以上の高透磁率を有するものが好ましく、この高透磁率の特性を示す材料には、パーマロイ、Ｆｅ−Ｓｉ系合金、アモルファス金属等がある。
【００５４】
特に、Ｃｏ−Ｆｅ−Ｓｉ−Ｂを主成分とするアモルファス金属ファイバーは、磁界の強さが０．４Ａ／ｍ（５ｍＯｅ），交番磁界の周波数が１ｋＨｚの励振磁界において、透磁率が１０，０００以上の高透磁率を示し、また、Ｆｅ−Ｃｏ−Ｓｉ−Ｂを主成分とするアモルファス金属ファイバーも、バルクハウゼン効果が大きいので、これらのアモルファス金属ファイバーを使用するのが好ましい。
【００５５】
半硬質磁性材料４３は、約８００Ａ／ｍ（１０Ｏｅ（エルステッド））以上約４０，０００Ａ／ｍ（５００Ｏｅ）以下の保磁力が必要で種々のＦｅ合金やＣｏ合金を使用でき、中でも、Ｆｅ−Ｃｏ−Ｖ系合金やＦｅ−Ｃｏ−Ｃｒ系合金は、約２，４００Ａ／ｍ（３０Ｏｅ）以上約１２，０００Ａ／ｍ（１５０Ｏｅ）以下の優れた半硬質磁性特性を示すので好ましい。
【００５６】
また、この半硬質磁性材料４３の形態としては、円形断面、楕円断面、多角形断面を有する線材や、細幅の矩形断面を有する薄板や薄帯を使用でき、長さが３ｍｍ以上であれば、十分な失活性能を付与することができる。
【００５７】
〔芯糸、熱溶着糸、カバー体〕
芯糸４２は、軟磁性体ファイバー４１より太いことが好ましく、各種合成繊維や天然繊維からなる集束フィラメント、撚線フィラメント、熱溶着糸、スフや低弾性率のレーヨン繊維（アメリカン・エンカ社製の製品名でポリノジック）等を用いることができる。
【００５８】
熱溶着糸４５は、１００〜２００ｄ（デニール）程度の太さで、溶着温度が１００℃程度のものが好ましい。
【００５９】
カバー体４４は、軟磁性体ファイバー４１や芯糸４２や半硬質磁性材料４３や熱溶着糸４５等をカバーするもので、機械的及び視覚的にこれらを保護する機能を有し、ナイロンやポリエステル等の合成繊維や天然繊維で成形される糸や帯（テープ状）を使用できる。
【００６０】
また、このカバー体４４としては、種々の材料で構成された金糸や銀糸も使用でき、この金糸や銀糸を例にした場合には、特にポリエステル等の高分子フィルムの片面にアルミニウムを真空蒸着したものが好ましく、また、青色、赤色、緑色等の任意の着色をしてメタリック調にしたものも使用できる。これらの色彩等は装飾効果のみならず、商品のサイズや種類や材質等の識別に利用することもできる。
【００６１】
そして、軟磁性体ファイバー４１等やコアとしての軟磁性体ファイバー４１の周りに設けた芯糸等の芯材４０ａを、１種類のカバー材４４でシングルスパイラル状に巻いたり、図２（ａ）、図２（ｂ）に示すように、２種類のカバー材４４，４４を交互に隙間無くダブルスパイラル状に巻いたり、あるいは、図２（ｃ）に示すように、金糸や銀糸等を３条以上使用して、これらの複数条の金糸等を一定の方式に従って、斜め、前後、上下に交差させて、打ち込みによって締めて、組紐構造にしたりして、カバー材４４で被覆する。
【００６２】
〔糸状体の実施例〕
上記の糸状体４０の実施例として、一例を上げると、軟磁性体ファイバー４１を、５，０００以上に高透磁率を示すＣＯ−Ｆｅ−Ｓｉ−Ｂ系の１００μｍφのアモルファス金属ファイバーで形成し、これを２００ｄの熱溶着糸４５と２００ｄのナイロンの集束フィラメントからなる芯糸４２と、Ｆｅ−Ｃｏ−Ｖ系の保磁力約９，５５０Ａ／ｍ（１２０Ｏｅ）の８０μｍφの消磁状態の半硬質磁性材料４３と共に、１，０００ｄのポリエチレンデレフタレート糸の２本のカバー材４４でスパイラル状に被覆し、被覆後に１２０℃で３０分間の乾熱処理して、糸状体４０を形成した。
【００６３】
そして、この糸状体４０を感知性能や失活性能を実験した結果、実用上十分な性能が得られている。
【００６４】
〔係合雄部、係合雌部の例〕
次に、係合雄部２と係合雌部３について説明する。
【００６５】
図３に示す係合雄部２と係合雌部３は、係合雌部３の貫通孔３ａ内の環状突起部３ｂを通過できる頭部２ａと、この頭部２ａの後方に設けられた弾性的に拡縮可能な係合羽２ｂと、この係合羽２ｂの後方に設けられ、環状突起部３ｂより拡大したストッパー部２ｃとを有して形成される。
【００６６】
この係合雄部２においては、頭部２ａとストッパー部２ｃとの間に接続部材があり、また、ストッパー部２ｃは接続部材で連結部２ｄに接続している。この連結部２ｄは、糸状体４０と係合雄部２との接合を行う部分であり、この連結部２ｄに糸状体４０の端部が鋳包まれる。
【００６７】
また、係合雌部３は、図３に示すように、貫通孔３ａを有する枠体３ｃとこの貫通孔３ａ内に設けられた環状突起部３ｂとからなり、連結部３ｄで糸状体４０に接続して形成される。
【００６８】
この係合雄部２と係合雌部３の係合強度は、表示札５等が簡単に外されて入れ替えられないように、一度係合した後で無理やり引張って係合を外した時には、係合雄部２又は係合雌部３が破損して、再度の係合ができないように形成される。
【００６９】
なお、図３（ｂ）に一点鎖線で示すように、係合雄部２と糸状連結部４との接続部材、又は係合雌部３と糸状連結部４との接続部材に、断面を小さくして係合雄部２と係合雌部３の係合強度よりも弱くなるように形成した破断部２ｅ又は破断部３ｅを設けることもできる。この構成によれば、破断部２ｅ，３ｅを曲げたり、捩じったりして、係合雄部２又は係合雌部３を糸状連結部４から簡単に切り離し、商品６から表示札５等を外すことができる。なお、破断部２ｅ，３ｅはとちらか一方があれば用が足りる。
【００７０】
そして、この糸状連結部４に連結される係合雄部２と係合雌部３の他の例を図４〜図５に示す。
【００７１】
図４に示すマーカー用磁性体を有する表示札等取付具１Ａでは、係合雄部２Ａは、頭部２Ａａと首部２Ａｂを有して形成され、係合雌部３Ａは、貫通孔３Ａａに、係合片３Ａｂと頭部収容部３Ａｃとを有して形成され、図５に示すように係合し、ループＲを形成する。
【００７２】
図６に示す係合雄部２Ｂは、頭部２Ｂａと首部２Ｂｂを有して偏平に形成され、係合雌部３Ｂは、貫通孔３Ｂａに、係合片３Ｂｂと頭部収容部３Ｂｃとを有して形成される。
【００７３】
また、図７に示す係合雄部２Ｃは、頭部２Ｃａと首部２Ｃｂとストッパー部２Ｃｃを有して形成され、係合雌部３Ｃは、貫通孔３Ｃａとその周囲に形成された係合片３Ｃｂを有して形成される。
【００７４】
また、図８に、ボタン式の係合雄部２Ｄと係合雌部３Ｄを有するマーカー用磁性体を有する表示札等取付具１Ｄを示す。この係合雄部２Ｄは頭部２Ｄａと首部２Ｄｂを有して、首部２Ｄｂに設けられた空洞部２Ｄｈにより、頭部が縮小可能に形成され、一方の係合雌部３Ｄは、対をなす係合片３Ｄｂと、この係合片３Ｄｂの間に形成される挿通孔３Ｄａと、係合片３Ｄａの下部の切り欠き孔で形成される頭部収容部３Ｄｃとで形成される。
【００７５】
そして、この係合雄部２Ｄと係合雌部３Ｄとは、図８（ｄ）に示すように係合し、図８（ｂ）に示すようなループＲを形成する。
【００７６】
また、このマーカー用磁性体を有する表示札等取付具１Ｄでは、係合雄部２Ｄに表示部２Ｄｓを設け、この表示部２Ｄｓに表示データを記入したり、タグを貼り付けることができるように構成されている。
【００７７】
なお、糸状体４０に対する係合雄部２，２Ａ，．．．や係合雌部３，３Ａ，．．．との位置関係、つまり、係合方向は、図１〜図８に示すように様々な場合が考えられ、それぞれの用途に対して適宜決められる。また、図１〜図８に示すものに限定されるものでは無い。
【００７８】
また、寸法に関しては、対象の表示札や封緘の対象物により異なり、その大きさは種々のものが考えられるので、限定する必要もないが、例えば、代表的なものでは、図１の表示札等取付具１は全長が１００〜２５０ｍｍ、係合雄部２の頭部２ａは１．８ｍｍφ、糸状連結部４は０．４〜１．０ｍｍφで、係合雌部３の貫通孔３ａは２．５ｍｍφで、貫通孔３ａの長さは５．０ｍｍである。
【００７９】
〔表示札等取付具の使用方法〕
次に、上記のマーカー用磁性体を有する表示札等取付具１の使用方法について説明する。
【００８０】
なお、以下の説明においては、同じ構成要素、例えば係合雌部の参照番号は２，２Ａ〜２Ｄであるが、２で代表することにする。即ち、英文字を省いて表示する。
【００８１】
表示札等取付具１の係合雄部２を、値段や品質等を表示するための表示札５等の貫通孔と衣類等の商品６に形成されたボタン孔等の取付孔を通した後に、係合雌部３と係合させる。
【００８２】
この係合により、表示札５等の貫通孔と商品６の取付孔を通過するループＲを形成し、このループＲにより、表示札５を商品６に取り付けることができ、マーカー用磁性体４１も商品に取り付けることができる。
【００８３】
そして、消費者がこれらの商品６を購入した際には、レジ等の正規のルートを通過させて、半硬質磁性材料４３を磁化して、マーカー用磁性体である軟磁性体ファイバー４１を失活させてから、消費者に渡す。これにより、失活した軟磁性体ファイバー４１は、感知ゲートで感知されなくなるので、そのまま通過可能となる。
【００８４】
一方、レジ等を通過しない、即ち、半硬質磁性材料４３が磁化されず、マーカー用磁性体である軟磁性体ファイバー４１が失活していない状態においては、感知ゲートで、その存在を感知できるので、正規のルートを経ていない商品の存在を検知でき、盗難を防止できる。
【００８５】
〔連続体〕
次に、上記の第１の実施の形態であるマーカー用磁性体を有する表示札等取付具１を、第１連結部材１４や第２連結部材１５等で連結した場合について、図４に示すマーカー用磁性体を有する表示札等取付具１Ａを例にして説明する。
【００８６】
先ず、図９に示す第１の連続体では、第１連結部材１４は、断面積が比較的大きく剛性が比較的強い第１連結棒１４ａと、この第１連結棒１４ａから櫛状に突出する第１突出部１４ｂと、この第１突出部１４ｂから延びて係合雄部２Ａの基部２Ａａに連結し、且つ、切断し易いように断面を縮小した第１切断部１４ｃとで形成される。
【００８７】
また、第２連結部材１５も、同様にして、断面積が比較的大きく剛性が比較的強い第２連結棒１５ａと、この第２連結棒１５ａから櫛状に突出する第２突出部１５ｂと、この第２突出部１５ｂから延びて係合雌部３Ａの基部３Ａａに連結し、且つ、切断し易いように断面を縮小した第２切断部１５ｃとで形成される。
【００８８】
つまり、マーカー用磁性体を有する表示札等取付具１Ａは、整列配置状態で、その両端の係合雄部２Ａと係合雌部３Ａとを、それぞれ切断し易い第１切断部１４ｃと第２切断部１５ｃを介して、比較的剛性の強い第１連結部材１４と第２連結部材１５に固定支持される。
【００８９】
そして、図１０に示す第２の連続体では、多数のマーカー用磁性体を有する表示札等取付具１Ａを整列配置状態で、係合雄部２Ａの基部２Ａａ同士が小断面に形成された細いフィラメント状の第１仮連結部１６で連結され、係合雌部３Ａの基部３Ａａを第２切断部１５ｃを有する第２連結部材１５で連結されている。
【００９０】
更に、図１１に示す第３の連続体では、多数のマーカー用磁性体を有する表示札等取付具１Ａを整列配置状態で、係合雄部２Ａの基部２Ａａ同士が小断面に形成された細いフィラメント状の第１仮連結部１６で連結され、係合雄部３Ａの基部３Ａａ同士が小断面に形成された細いフィラメント状の第２仮連結部１７で連結されている。
【００９１】
これらの図９と図１０の連続体では、第１連結部材１４と第２連結部材１５は、それぞれ、糸状連結部４の延長方向に設けられているが、次に説明する図１２と図１３の連続体では、糸状連結部４の延長方向と直交する方向に設けられている。
【００９２】
図１２では、マーカー用磁性体を有する表示札等取付具１Ｅの係合雄部２側を切断可能な第１切断部１４ｃを介して第１連結部材１４で連結し、係合雌部３Ｅ側を切断可能な第２切断部１５ｃを介して第２連結部材１５で連結している。
【００９３】
また、図１３では、マーカー用磁性体を有する表示札等取付具１Ｅ’の係合雄部２側を切断可能な第１切断部１４ｃを介して第１連結部材１４で連結し、係合雌部３Ｅ’側を切断可能な切断可能な第２切断部１５ｃを介して第２連結部材１５で連結している。
【００９４】
これらの図９〜図１３に示すようなマーカー用磁性体を有する表示札等取付具１Ａ，１Ｅ，１Ｅ’の連続体はガンタイプ（ピストル型）の取付装置（打ち込み機）を使用する場合に有効で、この連続体を取付装置に装填し、打ち込み時に個々に切断している。
【００９５】
そして、図９〜図１１のマーカー用磁性体を有する表示札等取付具１Ａの連続体では、平板格子面に直交するように、係合雄部２Ａの係合方向の軸線と係合雌部３Ａの係合方向の軸線がそれぞれ形成されている。つまり、係合雄部２Ａと係合雌部３Ａを係合する際の移動方向、即ち、軸線方向が糸状連結部４を含む平板格子面に直交するように形成されている。
【００９６】
この構成にすると、ガンタイプの取付装置への装填は、シート状の連続体として並んだ表示札等取付具の糸状連結部４を、Ｕ字形状にして取付装置の外部に配置したまま、係合雄部２Ａと係合雌部３Ａを装填でき、また、先端側に送る時も、糸状連結部４をＵ字形状にしたまま送ることができるので、もつれることがない。
【００９７】
また、この構成では、係合雄部２Ａの後端に第１切断部１４ｃや第１仮連結部１６が配置されない構成にすることができるので、取付装置における係合雄部２Ａを送り出す機構として、突き出しロッドで後端を押圧して中空針から送り出す機構を採用することができるようになる。
【００９８】
なお、図１０や図１１に示すマーカー用磁性体を有する表示札等取付具１Ａでは、係合雌部３Ａと糸状連結部４との接続部分に、断面を小さくして強度を係合雄部２Ａと係合雌部３Ａの係合強度よりも弱くなるように形成した破断部３Ａｅを設けてある。この破断部は、図示していないが、係合雌部２Ａと糸状連結部４との接続部分に設けてもよい。
【００９９】
この破断部３Ａｅは、折り曲げたり、捩じ切ることにより、鋏やカッターを使用することなく、係合雌部３Ａと糸状連結部４を切り離してループＲを解除できるようにしたものである。この破断部３Ａｅを設けることにより、顧客が商品６を買った後に、このマーカー用磁性体を有する表示札等取付具１Ａで取り付けた表示札５等を簡単に取り外すことができるようになる。
【０１００】
〔参考例〕
次に、参考例であるマーカー用磁性体を有する表示札等取付具１Ｆについて説明す    る。
【０１０１】
図１４及び図１５に示すように、このマーカー用磁性体を有する表示札等取付具１Ｆは、糸状連結部４の一端側に係合雄部２を接続し、他端側には、係合雌部３と衣料品等の商品に装着可能な装着部３０とを接続して形成される。
【０１０２】
そして、この糸状連結部４は、第１の実施の形態であるマーカー用磁性体を有する表示札等取付具１の糸状連結部４と全く同じに形成される。
【０１０３】
係合雄部２と係合雌部３や装着部３０は特に限定しないが、図１４及び図１５では、係合雄部２と係合雌部３は、図１〜図３の第１の実施の形態であるマーカー用磁性体を有する表示札等取付具１と同様に形成され、装着部３０が安全ピンで形成される。
【０１０４】
そして、このマーカー用磁性体を有する表示札等取付具１Ｆを使用した場合には、図１５に示すように、係合雄部２と係合雌部３の係合により表示札５を保持するループＲを糸状体４０で形成し、装着部３０により、衣料品やハンドバック等の商品６に装着する。
【０１０５】
これにより、マーカー用磁性体である軟磁性体ファイバー４１が商品６に取り付けられた状態となる。
【０１０６】
〔第２の実施の形態〕
次に、本発明の第２の実施の形態であるマーカー用磁性体を有する表示札等取付具    １Ｇについて説明する。
【０１０７】
図１６及び図１７に示すように、このマーカー用磁性体を有する表示札等取付具１Ｇは、糸状連結部４の一端側に横棒部２Ｇを接続し、他端側には、頭部３Ｇを接続して形成される。
【０１０８】
この横棒部２Ｇは糸状連結部４と交差する（図１６及び図１７では直交する）形状で糸状連結部４に接合し、衣料品の小穴や布地に刺し込まれる時は、糸状連結部４と略平行になって、共に刺し込まれ、その後糸状連結部４に対して交差する形状に復元し、抜け止めとなる。また、頭部３Ｇは偏平板状に形成され、抜け止め機能を発揮するために、糸状連結部４の横断面より大きく形成される。
【０１０９】
そして、この糸状連結部４は、第１の実施の形態であるマーカー用磁性体を有する表示札等取付具１の糸状連結部４と全く同じに形成される。
【０１１０】
そして、このマーカー用磁性体を有する表示札等取付具１Ｇを使用した場合には、図１７に示すように、横棒部２Ｇを表示札５の貫通孔に通した後に、衣料品の取付孔を通したり、布地に孔を開けて横棒部２Ｇを通したりして商品６に装着する。この場合には、表示札５は軟磁性体ファイバー４１を有する糸状連結部４で保持され、頭部３Ｇと横棒部２Ｇとが抜け止めの役割を果たす。
【０１１１】
つまり、横棒部２Ｇと糸状連結部４と頭部３Ｇとで略Ｈ字形状を形成し、中間の糸状連結部４が衣料品６や表示札５に挿通し、横棒部２Ｇと頭部３Ｇとが抜け止めとなる。
【０１１２】
これにより、マーカー用磁性体である軟磁性体ファイバー４１が商品６に取り付けられた状態となる。
【０１１３】
〔参考例〕
次に、参考例であるマーカー用磁性体を有する表示札等取付具１０について説明す    る。
【０１１４】
図１８に示すように、このマーカー用磁性体を有する表示札等取付具１０は、糸状連結部４の両端に表示札等を保持する保持部２０と、衣料品等の商品に装着可能な装着部３０とをそれぞれ接続して形成される。
【０１１５】
そして、この糸状連結部４は、第１の実施の形態であるマーカー用磁性体を有する表示札等取付具１の糸状連結部４と全く同じに形成される。
【０１１６】
保持部２０は、合成樹脂製の係合雄部２１と係合雌部２２とを有し、この拡縮可能な頭部２１ａを有する係合雄部２１と貫通孔２２ａを有する係合雌部２２を係合することにより、図１８〜図２１に示すように、表示札５の貫通孔部分を挟持できるように構成する。
【０１１７】
また、装着部３０は、図１８及び図１９に示すような安全ピン３０や、図２０及び図２１に示すような小ループ形成体３０Ａで形成することができる。この小ループ形成体３０Ａは、二股状のフィラメント部３１，３２の先端に係合雄部３３と係合雌部３４を有し、図２１に示すように、この係合雄部３３と係合雌部３４を係合してフィラメント部３１，３２により小ループを形成し、ハンドバック等の商品６に取り付ける。
【０１１８】
この装着部３０は、衣料品等の商品に装着できる構成であれば良いので、他の周知の構成を使用することもできる。
【０１１９】
そして、このマーカー用磁性体を有する表示札等取付具１０，１０Ａを使用した場合には、保持部２０の係合雄部２１と係合雌部２２の係合により表示札５を保持し、装着部３０，３０Ａにより、衣料品やハンドバック等の商品６に装着する。
【０１２０】
これにより、マーカー用磁性体である軟磁性体ファイバー４１が商品６に取り付けられた状態となるので、レジ等の正規のルートを通過せずに、感知ゲート内に入ると、軟磁性体ファイバー４１の存在が検知され、商品の存在を知ることができる。
【０１２１】
なお、正規のルートを通過する際には、磁界を通過させて、半硬質磁性材料４３を磁化して軟磁性体ファイバー４１を失活化して、感知ゲートによる感知ができないようにする。
【０１２２】
〔効果〕
以上の構成のマーカー用磁性体を有する表示札等取付具１，１０によれば、ループを形成する糸状連結部４や保持部２０で保持した表示札を吊り下げる糸状連結部４に、芯材４０ａとしてマーカー用磁性体となる軟磁性体ファイバー４１を配置し、この芯材４０ａをカバー材４４で被覆したので、一見しただけでは、糸状連結部４にマーカー用磁性体４１があることは消費者には分からず、有効なマーカーとして使用できる。
【０１２３】
しかも、糸状連結部４を形成する糸状体４０は、商品や備品へ表示札等を取り付けた時に違和感がなく、マーカー用磁性体である軟磁性体ファイバー４１の存在を感じさせないので、消費者等によって切り取られたり破壊されることが無くなる。
【０１２４】
また、糸状連結部４の芯材４０ａに、優れた磁気特性を有する軟磁性体ファイバー４１を配置するので、感知システムで感知可能な磁力変化を発生させるために必要な長さを容易に確保でき、磁気式の盗難防止用ゲート内に発生した交番磁界中で容易に磁化して、ゲート内の検出コイルに検出信号を発生することができる。
【０１２５】
従って、このマーカー用磁性体を有する表示札等取付具１，１０を使用することにより、通常の表示札等取付け機能の他に、盗難防止用のセキュリティ機能も果たすことができる。
【０１２６】
【発明の効果】
以上の説明から明らかなように、本発明によるマーカー用磁性体を有する表示札等取付具によれば、次のような効果を奏することができる。
【０１２７】
糸状連結部の一端側に係合雄部と、他端側に係合雌部を接続して形成した表示札等取付具によれば、係合雄部と係合雌部を係合させることにより、糸状連結部のループを形成して、表示札等を商品等に簡単に取り付けることができる。
【０１２９】
そして、これらのマーカー用磁性体を有する表示札等取付具によれば、マーカー用磁性体となる軟磁性体ファイバーを有する糸状体で、糸状連結部を形成しているので、感知ゲート内で検出されるのに、十分な長さを容易に確保でき、磁気式の盗難防止用ゲート内に発生した交番磁界中で容易に磁化して、ゲート内の検出コイルに検出信号を発生することができる。
【０１３０】
その上、糸状連結部を形成する糸状体は、外観的には通常の糸状体を同じであり、隠匿性が高いので、このマーカー用磁性体を有する表示札等取付具で商品等に表示札を取り付けた時に違和感がなく、マーカー用磁性体の存在を消費者等に感じさせることがない。
【０１３１】
そのため、消費者等によって切り取られたり破壊されることが無くなり、盗難防止の機能を十分に果たすことができる。
【０１３２】
そして、特に、係合雄部と係合雌部を糸状連結部で連結したマーカー用磁性体を有する表示札等取付具を第１連結部材と第２連結部材等で連結して連続体として形成することにより、ガンタイプの取付装置を使用する際や、移動及び保管の際に、もつれずに配列を保つことができる。また、この連続体にすると、取付装置への装填が容易でしかも簡単に個々に分解することができる。
【図面の簡単な説明】
【図１】本発明に係る第１の実施の形態のマーカー用磁性体を有する表示札等取付具の第１実施例を示す図で、（ａ）は平面図で、（ｂ）は正面図である。
【図２】糸状体を示す図で、（ａ）は芯材を軟磁性体ファイバーで形成した糸状体を、（ｂ）芯材を軟磁性体ファイバーと芯糸とで形成した糸状体を、また、（ｃ）は、芯材に半硬質磁性材料を添えて形成した糸状体を、それぞれ示す。
【図３】図１のマーカー用磁性体を有する表示札等取付具でループを形成した状態を示す図で、（ａ）は表示札の取付け状態を、（ｂ）は係合雄部と係合雌部の係合状態を示す。
【図４】本発明に係る第１の実施の形態のマーカー用磁性体を有する表示札等取付具の第２実施例を示す図で、（ａ）は正面図で、（ｂ）は平面図で、（ｃ）は底面図で、（ｄ）は係合雌部の断面を示す図である。
【図５】図４のマーカー用磁性体を有する表示札等取付具でループを形成した状態を示す図で、（ａ）は表示札の取付け状態を、（ｂ）は係合雄部と係合雌部の係合状態を示す。
【図６】係合雄部と係合雌部の例を示す図で、（ａ）は平面図で、（ｂ）は正面図で    ある。
【図７】係合雄部と係合雌部の例を示す図で、（ａ）は斜視図で、（ｂ）は係合雄部    と係合雌部の係合状態を示す断面図である。
【図８】ボタン式の係合雄部と係合雌部の例を示す図で、（ａ）は斜視図で、（ｂ）    は平面図で、（ｃ）は係合雄部と係合雌部の断面図で、（ｄ）は係合状態を示す断面    図である。
【図９】第１連結部材と第２連結部材で連結された連続体として形成された、マーカー用磁性体を有する表示札等取付具を示す図で、（ａ）は平面図で、（ｂ）はＡ−Ａ断面図である。
【図１０】第１仮連結部と第２連結部材で連結された連続体として形成された、マーカー用磁性体を有する表示札等取付具を示す図で、（ａ）は平面図で、（ｂ）はＢ−Ｂ断面図である。
【図１１】第１仮連結部と第２仮連結部で連結された連続体として形成された、マーカー用磁性体を有する表示札等取付具を示す図で、（ａ）は平面図で、（ｂ）は側面図である。
【図１２】連結部材で連結された連続体として形成された、マーカー用磁性体を有する表示札等取付具を示す図で、（ａ）は平面図で、（ｂ）は正面図である。
【図１３】連結部材で連結された連続体として形成された、マーカー用磁性体を有する他の表示札等取付具を示す図で、（ａ）は平面図で、（ｂ）は正面図で、（ｃ）は係合雌部を示す部分断面図である。
【図１４】参考例のマーカー用磁性体を有する表示札等取付具を示す図で、（ａ）は    正面図で、（ｂ）は側面図である。
【図１５】図１４のマーカー用磁性体を有する表示札等取付具で表示札を取付けた状態を示す図である。
【図１６】本発明に係る第２の実施の形態のマーカー用磁性体を有する表示札等取付    具を示す図で、（ａ）は正面図で、（ｂ）は側面図である。
【図１７】図１６のマーカー用磁性体を有する表示札等取付具で表示札を取付けた状態を示す図である。
【図１８】参考例のマーカー用磁性体を有する表示札等取付具の１実施例を示す図      で、（ａ）は正面図で、（ｂ）は側面図である。
【図１９】図１８のマーカー用磁性体を有する表示札等取付具で表示札を取付けた状態を示す図である。
【図２０】参考例のマーカー用磁性体を有する表示札等取付具の第２実施例を示す図    で、（ａ）は正面図で、（ｂ）は側面図である。
【図２１】図２０のマーカー用磁性体を有する表示札等取付具で表示札を取付けた状態を示す図である。
【符号の説明】
１，１Ａ〜１Ｇ  マーカー用磁性体を有する表示札等取付具
２，２Ａ〜２Ｄ  係合雄部
２ｅ，２Ａｅ    破断部
２Ｇ  横棒部
３，３Ａ〜３Ｅ，３Ｅ’  係合雌部
３ｅ，３Ａｅ    破断部
３Ｇ  頭部
４    糸状連結部
５    表示札
６    商品
１０，１０Ａ  マーカー用磁性体を有する表示札等取付具
１４    第１連結部材
１４ｃ  第１切断部
１５    第２連結部材
１５ｃ  第２切断部
１６    第１仮連結部
１７    第２仮連結部
２０，２０Ａ  保持部
３０，３０Ａ  装着部
４０    糸状体
４０ａ  芯材
４１    軟磁性体ファイバー
４２    芯糸
４３    半硬質磁性材料
４４    カバー材
４５    熱溶着糸
【図１】
0003630652.tif 000002
【図２】
0003630652.tif 000003
【図３】
0003630652.tif 000004
【図４】
0003630652.tif 000005
【図５】
0003630652.tif 000006
【図６】
0003630652.tif 000007
【図７】
0003630652.tif 000008
【図８】
0003630652.tif 000009
【図９】
0003630652.tif 000010
【図１０】
0003630652.tif 000011
【図１１】
0003630652.tif 000012
【図１２】
0003630652.tif 000013
【図１３】
0003630652.tif 000014
【図１４】
0003630652.tif 000015
【図１５】
0003630652.tif 000016
【図１６】
0003630652.tif 000017
【図１７】
0003630652.tif 000018
【図１８】
0003630652.tif 000019
【図１９】
0003630652.tif 000020
【図２０】
0003630652.tif 000021
【図２１】
0003630652.tif 000022